(57)【要約】【課題】閲覧を許可するための条件を設定することなく、メインユーザがサブユーザに対して、セキュリティを確保しつつ、稼働情報を閲覧させることができるようになる情報管理システムを提供する。【解決手段】サブユーザに対して稼働情報の閲覧を許可するための閲覧許可手続を開始するためのメインユーザ端末からのアクセスに基づいて、当該閲覧許可手続を特定するための手続特定情報を発行するとともに、複数の機械のうちから１つの作業機械をメインユーザに選択させるための機械選択画面を、メインユーザ端末に提供する。機械選択画面に基づきメインユーザにより作業機械が選択されたことに応答して、選択された作業機械の識別子である機械ＩＤを手続特定情報に関連付けて記憶するとともに、特定のＵＲＬを表す光学的読取可能なコードをメインユーザ端末に提供する。【選択図】図４Ａ
2020061003.tif 000002
【特許請求の範囲】
【請求項１】
その閲覧権限をメインユーザが有している、複数の作業機械の稼働情報を保持しており、前記メインユーザが使用するメインユーザ端末および前記稼働情報の閲覧権限を有していないサブユーザが使用するサブユーザ端末と、ネットワークを介して通信可能である情報提供管理システムであって、
前記サブユーザに対して前記稼働情報の閲覧を許可するための閲覧許可手続を開始するための前記メインユーザ端末からのアクセスに基づいて、当該閲覧許可手続を特定するための手続特定情報を発行するとともに、前記複数の機械のうちから１つの作業機械を前記メインユーザに選択させるための機械選択画面を、前記メインユーザ端末に提供する第１手段と、
前記機械選択画面に基づき前記メインユーザにより作業機械が選択されたことに応答して、選択された作業機械の識別子である機械ＩＤを前記手続特定情報に関連付けて記憶するとともに、特定のＵＲＬを表す光学的読取可能なコードを前記メインユーザ端末に提供する第２手段と、
前記メインユーザ端末に提供された前記コードが、前記サブユーザ端末によって読み取られて、前記ＵＲＬに前記サブユーザ端末がアクセスしたときに、前記サブユーザ端末の識別子であるサブユーザ端末ＩＤを前記手続特定情報および前記機械ＩＤに関連付けて記憶するとともに、所定の情報提供用アドレスを前記サブユーザ端末に提供する第３手段と、
前記サブユーザ端末が前記情報提供用アドレスにアクセスしたときに、前記サブユーザ端末ＩＤを取得し、取得した前記サブユーザ端末ＩＤに関連付けて記憶されている前記機械ＩＤに対する稼働情報を前記サブユーザ端末に提供する第４手段とを含む、情報管理システム。
【請求項２】
前記第４手段は、
前記サブユーザ端末が前記情報提供用アドレスにアクセスしたときに、前記サブユーザ端末ＩＤを取得して記憶するとともに、閲覧情報の種類を選択させるための情報選択画面を前記サブユーザ端末に提供する手段と、
前記情報選択画面に基づいて選択された閲覧情報の識別子である閲覧情報ＩＤを受信したときに、前記サブユーザ端末ＩＤに関連付けて記憶されている前記機械ＩＤに対する稼働情報のうち、受信した閲覧情報ＩＤに対応する閲覧情報を前記サブユーザ端末に提供する手段とを含む、請求項１に記載の情報管理システム。
【請求項３】
前記手続特定情報が、有効期限付きのトークンである、請求項１または２に記載の情報管理システム。
【発明の詳細な説明】
【技術分野】
【０００１】
この発明は、情報管理システムに関する。
【背景技術】
【０００２】
近年、建設機械等の作業機械の分野では、作業機械の位置、燃費、稼働時間等の稼働情報を管理し、作業機械の保有者に稼働情報を提供できるようにした稼働情報管理システムが開発されている。
特許文献１には、作業機械の保有者から作業機械をレンタルして建設工事を行う施工管理者に対して、セキュリティを確保しつつ作業機械の稼働情報を提供できる稼働情報管理システムが開発されている。この稼働情報管理システムでは、管理サーバは、施工管理者からアクセス要求を受け付けると、所定の条件を満たしているか否かを判別し、満たしていると判別された場合にのみ、所定の作業機械の稼働情報を当該施工管理者に提供するようにしている。所定の条件は、アクセス要求を行った施工管理者がレンタルしている作業機械の位置が予め設定された範囲内にあるかどうかという位置条件および作業機械の利用期間が予め設定された所定期間内であるか否かという期間条件のうちのいずれか一方または両方である。
【先行技術文献】
【特許文献】
【０００３】
【特許文献１】特開２０１８−４５４８６号公報
【発明の概要】
【発明が解決しようとする課題】
【０００４】
特許文献１に記載の稼働情報管理システムでは、セキュリティを確保しつつ施工管理者に作業車両の稼働情報を提供するためには、閲覧を許可するための条件を予め設定しておく必要がある。
この発明の目的は、閲覧を許可するための条件を設定することなく、作業機械の稼働情報の閲覧権限を有しているメインユーザが、当該稼働情報の閲覧権限を有していないサブユーザに対して、セキュリティを確保しつつ、当該稼働情報を閲覧させることができるようになる情報管理システムを提供することにある。
【課題を解決するための手段】
【０００５】
この発明による情報管理システムは、その閲覧権限をメインユーザが有している、複数の作業機械の稼働情報を保持しており、前記メインユーザが使用するメインユーザ端末および前記稼働情報の閲覧権限を有していないサブユーザが使用するサブユーザ端末と、ネットワークを介して通信可能である情報提供管理システムであって、前記サブユーザに対して前記稼働情報の閲覧を許可するための閲覧許可手続を開始するための前記メインユーザ端末からのアクセスに基づいて、当該閲覧許可手続を特定するための手続特定情報を発行するとともに、前記複数の機械のうちから１つの作業機械を前記メインユーザに選択させるための機械選択画面を、前記メインユーザ端末に提供する第１手段と、前記機械選択画面に基づき前記メインユーザにより作業機械が選択されたことに応答して、選択された作業機械の識別子である機械ＩＤを前記手続特定情報に関連付けて記憶するとともに、特定のＵＲＬを表す光学的読取可能なコードを前記メインユーザ端末に提供する第２手段と、前記メインユーザ端末に提供された前記コードが、前記サブユーザ端末によって読み取られて、前記ＵＲＬに前記サブユーザ端末がアクセスしたときに、前記サブユーザ端末の識別子であるサブユーザ端末ＩＤを前記手続特定情報および前記機械ＩＤに関連付けて記憶するとともに、所定の情報提供用アドレスを前記サブユーザ端末に提供する第３手段と、前記サブユーザ端末が前記情報提供用アドレスにアクセスしたときに、前記サブユーザ端末ＩＤを取得し、取得した前記サブユーザ端末ＩＤに関連付けて記憶されている前記機械ＩＤに対する稼働情報を前記サブユーザ端末に提供する第４手段とを含む。
【０００６】
この構成では、閲覧を許可するための条件を設定することなく、作業機械の稼働情報の閲覧権限を有しているメインユーザが、当該稼働情報の閲覧権限を有していないサブユーザに対して、セキュリティを確保しつつ、当該稼働情報を閲覧させることができるようになる。
この発明の一実施形態では、前記第４手段は、前記サブユーザ端末が前記情報提供用アドレスにアクセスしたときに、前記サブユーザ端末ＩＤを取得して記憶するとともに、閲覧情報の種類を選択させるための情報選択画面を前記サブユーザ端末に提供する手段と、前記情報選択画面に基づいて選択された閲覧情報の識別子である閲覧情報ＩＤを受信したときに、前記サブユーザ端末ＩＤに関連付けて記憶されている前記機械ＩＤに対する稼働情報のうち、受信した閲覧情報ＩＤに対応する閲覧情報を前記サブユーザ端末に提供する手段とを含む。
【０００７】
この発明の一実施形態では、前記手続特定情報が、有効期限付きのトークンである。
【図面の簡単な説明】
【０００８】
【図１】図１は、この発明の一実施形態に係る情報管理システムが適用された情報閲覧システムの構成を示す模式図である。
【図２】図２は、オーナー情報テーブルの一例を示す模式図である。
【図３】図３は、機械情報管理テーブルの一例を示す模式図である。
【図４Ａ】図４Ａは、情報閲覧システムの動作を説明するためのシーケンス図の一部である。
【図４Ｂ】図４Ｂは、情報閲覧システムの動作を説明するためのシーケンス図の一部である。
【図５】図５は、認証用データ入力画面の一例を示す模式図である。
【図６】図６は、手続管理テーブルの一例を示す模式図である。
【図７】図７は、機械選択画面の一例を示す模式図である。
【図８】図８は、ＱＲコード提示用Ｗｅｂページの一例を示す模式図である。
【図９】図９は、稼働情報選択画面の一例を示す模式図である。
【発明を実施するための形態】
【０００９】
以下では、この発明の実施形態を、添付図面を参照して詳細に説明する。
図１は、この発明の一実施形態に係る情報管理システムが適用された情報閲覧システム１の構成を示す模式図である。
情報閲覧システム１は、作業機械の稼働情報の管理および提供を行う情報管理システム２を含む。作業機械は、この実施形態では、トラクタ、田植え機、コンバイン、土木・建設作業装置、除雪車、乗用型作業機、歩行型作業機等の作業車両である。作業機械の稼働情報は、この実施形態では、作業機械の位置情報、燃費情報、作業時間等の情報を含む。
【００１０】
情報閲覧システム１は、さらに、オーナー端末３と、従業員端末４とを含む。オーナー端末３は、この実施形態では、農業を営む会社のオーナーが使用する端末装置である。この実施形態では、オーナー端末３は、スマートフォン、タブレット型パーソナルコンピュータ（タブレット型ＰＣ）等の携帯端末からなる。オーナーは、複数の作業機械を所有している。また、オーナーは、自己が所有している複数の作業機械の稼働情報を、情報管理システム２から取得して閲覧する権限を有している。オーナーは本発明のメインユーザの一例であり、オーナー端末３は本発明のメインユーザ端末の一例である。
【００１１】
従業員端末４は、オーナーが経営する会社の従業員が使用する端末装置である。この実施形態では、従業員端末４は、オーナーが所有している複数の作業機械のうちの特定の作業機械の稼働情報の閲覧をオーナーが許可しようとしている所定の従業員が使用する端末装置である。この実施形態では、従業員端末４は、スマートフォン、タブレット型パーソナルコンピュータ（タブレット型ＰＣ）等の携帯端末からなる。オーナーが経営する会社の従業員は、オーナーが所有している複数の作業機械の稼働情報を、情報管理システム２から取得して閲覧する権限を有していない。従業員は本発明のサブユーザの一例であり、従業員端末４は本発明のサブユーザ端末の一例である。
【００１２】
情報管理システム２は、仲介サーバ５と管理サーバ６とを含む。仲介サーバ５と管理サーバ６とは、ネットワーク７を介して通信可能である。また、オーナー端末３は、ネットワーク７を介して仲介サーバ５および管理サーバ６と通信可能である。従業員端末４は、ネットワーク７を介して仲介サーバ５と通信可能である。
管理サーバ６は、オーナーが所有している複数の作業機械の稼働情報を取得して記憶している。具体的には、管理サーバ６は、コンピュータからなる制御部６１と、記憶部６２とを含む。記憶部６２には、オーナー情報テーブル６３、機械情報テーブル６４等が設けられている。
【００１３】
図２は、オーナー情報テーブル６３の一例を示す模式図である。
オーナー情報テーブル６３には、管理サーバ６に登録されているオーナーのＩＤ（オ―ナーＩＤ）毎に、オーナーの氏名、認証用ＩＤ、認証用ＰＷ（認証用パスワード）、当該オーナーが所有する作業機械のうち管理サーバ６に登録されている作業機械のＩＤ（作業機械ＩＤ）等が記憶される。後述するように、認証用ＩＤおよび認証用ＰＷは、それぞれ当オーナーが従業員に対して閲覧を許可するための手続を行う際に使用されるＩＤおよびＰＷである。
【００１４】
図３は、機械情報管理テーブル６４の一例を示す模式図である。
機械情報管理テーブル６４には、管理サーバ６に登録されている作業機械ＩＤ毎に、型式、機番、複数種類の稼働情報が記憶される。この実施形態では、複数種類の稼働情報には、例えば、作業機械の最新の位置情報（稼働情報１）、最近の所定時間における燃料使用量（稼働情報２）、昨日および本日の作業時間（稼働情報３）等が含まれる。複数種類の稼働情報を識別するために、各稼働情報にはＩＤ（稼働情報ＩＤ）が付けられている。
【００１５】
仲介サーバ５は、コンピュータからなる制御部５１と記憶部５２とを含む。記憶部５２には、後述するように手続管理テーブル５３（図６参照）が作成される。
オーナーは、オーナー端末３から管理サーバ６に直接アクセスすることにより、オーナー情報テーブル６３および機械情報テーブル６４に記憶されている、自己の所有する作業機械に関する稼働情報を取得して閲覧することが可能となっている。
【００１６】
この実施形態では、オーナーは、従業員に対して、セキュリティを確保しつつ、管理サーバ６に管理されている、自己の所有する作業機械に関する稼働情報を閲覧させることができるようになっている。以下、従業員に稼働情報を閲覧させる場合の情報閲覧システム１の動作について説明する。
図４Ａおよび図４Ｂは、情報閲覧システム１の動作を説明するためのシーケンス図である。
【００１７】
オーナーには、当該オーナーが従業員に対して閲覧を許可するための手続（以下、「閲覧許可手続」という）を行う際に使用される認証用ＩＤおよび認証用ＰＷ（図２参照）が、情報管理システム２の管理者から予め与えられているものとする。
オーナーがオーナー端末３を操作して仲介サーバ５にアクセスすると（ステップＳ１）、仲介サーバ５は、認証用データ取得用のＷｅｂページをオーナー端末３に送信する（ステップＳ２）。これにより、図５に示すような認証用データ入力画面１０がオーナー端末３に表示される（ステップＳ３）。認証用データ入力画面１０は、ＩＤ入力部１１と、パスワード入力部１２と、ＯＫボタン１３とを含む。
【００１８】
なお、オーナー端末３から仲介サーバ５に何らかのコマンドまたは情報が送信される際には、オーナー端末３の端末ＩＤ（オーナー端末ＩＤ）が送られるので、仲介サーバ５はこのオーナー端末ＩＤにより、送信元のオーナー端末３を認識できるようになっている。
オーナーは、認証用データ入力画面１０上で認証用ＩＤおよび認証用ＰＷを入力した後、ＯＫボタンを押す。これにより、オーナーが入力した認証用ＩＤおよび認証用ＰＷが、オーナー端末３から仲介サーバ５に送信される（ステップＳ４）。
【００１９】
仲介サーバ５は、受信した認証用ＩＤおよび認証用ＰＷを認証要求コマンドとともに管理サーバ６に送信する（ステップＳ５）。
管理サーバ６は、認証要求コマンドを受信すると、認証処理を行う（ステップＳ６）。つまり、受信した認証用ＩＤおよび認証用ＰＷが、登録されている認証用ＩＤおよび認証用ＰＷと一致するか否かを判別する。受信したＩＤ，ＰＷが登録されているＩＤ，ＰＷと一致すれば認証成功となり、不一致であれば認証失敗となる。
【００２０】
認証失敗の場合には、図示しないがその旨が、仲介サーバ５を介してオーナー端末３に通知されることになる。
認証成功であれば、管理サーバ６は、トークン（token：この実施形態では有効期限付きのトークン）を、認証されたオーナーのＩＤ（認証ＩＤとは異なるオーナーＩＤ）に対して発行する（ステップＳ７）。トークンは、本発明の手続特定情報の一例である。そして、管理サーバ６は、トークンとオーナーＩＤとを仲介サーバ５に送信する（ステップＳ８）。
【００２１】
仲介サーバ５は、トークンとオーナーＩＤとを受信すると、受信したトークンおよびオーナーＩＤを手続管理テーブル５３に登録する（ステップＳ９）。
図６に示すように、手続管理テーブル５３には、複数の閲覧許可制御情報を記憶するための複数の記憶領域ｅ１〜ｅＮが設けられている。各記憶領域ｅ１〜ｅＮには、オーナーＩＤ、トークン、作業機械ＩＤおよび従業員端末ＩＤからなる閲覧許可制御情報が記憶されるようになっている。ステップＳ９では、記憶領域ｅ１〜ｅＮのうちデータが格納されていない１つの記憶領域（この例ではｅ１）に、オーナーＩＤおよびトークンが記憶される。
【００２２】
この後、仲介サーバ５は、オーナーＩＤおよびトークンとともに機械ＩＤ要求コマンドを管理サーバ６に送信する（ステップＳ１０）。
管理サーバ６は、機械ＩＤ要求コマンドを受信すると、まず、受信したオーナーＩＤに基づいて、当該オーナーが所有する複数の作業機械毎のＩＤ（作業機械ＩＤ）を、オーナー情報テーブル６３から取得する（ステップＳ１１）。次に、管理サーバ６は、取得した各作業機械ＩＤに基づいて、その作業機械ＩＤに対応する型式および機番を、機械情報テーブル６４から取得する（ステップＳ１２）。そして、管理サーバ６は、取得した複数の作業機械毎の作業機械ＩＤ、型式および機番からなる機械情報を、オーナーＩＤおよびトークンとともに仲介サーバ５に送信する（ステップＳ１３）。
【００２３】
仲介サーバ５は、複数の作業機械に関する機械情報ＩＤを受信すると、これらの複数の作業機械のうちからオーナーが従業員に閲覧を許可する作業機械を、オーナーに選択させるための機械選択用のＷｅｂページを作成して、オーナー端末３に送信する（ステップＳ１４）。
これにより、図７に示すような機械選択画面２０が、オーナー端末３に表示される（ステップＳ１５）。機械選択画面２０は、当該オーナーが所有する複数の作業機械の型式および機番をそれぞれ表す複数の選択項目２１と、各選択項目２１の横に表示されたチェックボックス２２と、ＯＫボタン２３とを含む。ただし、この実施形態では、複数の選択項目２１のうちのいずれか１つのみしか選択できないようになっているものとする。
【００２４】
オーナーは、機械選択画面２０に基づいて、稼働情報の閲覧を従業員に許可する作業機械を選択した後、ＯＫボタン２３を押す。
これにより、オーナー端末３からオーナーが選択した作業機械ＩＤが、仲介サーバ５に送信される（ステップＳ１６）。仲介サーバ５は、手続管理テーブル５３の記憶領域ｅ１〜ｅＮのうち、ステップＳ９においてオーナーＩＤおよびトークンが登録された記憶領域（この例ではｅ１）に、受信した作業機械ＩＤを記憶する（図６参照、ステップＳ１７）。これにより、ステップＳ９で記憶したオーナーＩＤおよびトークンに、作業機械ＩＤが関連付けられる。
【００２５】
また、仲介サーバ５は、特定の処理を行うためのネットワーク上の特定の場所を示すＵＲＬ（以下、特定ＵＲＬという）を表すＱＲコードを提示するためのＷｅｂページ（ＱＲコード提示用Ｗｅｂページ）をオーナー端末３に送信する（ステップＳ１８）。これにより、図８に示すように、ＱＲコード３１を含むＱＲコード提示用Ｗｅｂページ３０が、オーナー端末３に表示される（ステップＳ１９）。特定の処理は、ステップＳ１７で作業機械ＩＤを記憶した記憶領域（この例ではｅ１）に、後述するようにして取得される従業員端末ＩＤを記憶する処理である。
【００２６】
この後、オーナーは、オーナー端末３に表示されているＱＲコード３１を、従業員端末４を所持する従業員に提示する。従業員は、オーナー端末３に表示されているＱＲコードを、従業員端末４に読み取らせる。
従業員端末４がＱＲコードを読み取ると（ステップＳ２０）、「接続しますか？」というメッセージとＯＫボタンとを含む確認画面が従業員端末４に表示される（ステップＳ２１）。この確認画面上のＯＫボタンが押されると、従業員端末４から読み取ったＱＲコードに対応する特定ＵＲＬに、従業員端末４の端末ＩＤ（従業員端末ＩＤ）が送信される（ステップＳ２２）。
【００２７】
仲介サーバ５は、特定ＵＲＬに対して送信されてきた従業員端末ＩＤを取得し、手続管理テーブル５３内の記憶領域ｅ１〜ｅＮのうち、ステップＳ１７で作業機械ＩＤが記憶された記憶領域（この例ではｅ１）に、当該従業員端末ＩＤを登録する（図６参照、ステップＳ２３）。これにより、オーナーＩＤ、トークン、作業機械ＩＤおよび従業員端末ＩＤからなる閲覧許可制御情報が手続管理テーブル５３内に作成されることになる。
【００２８】
そして、仲介サーバ５は、従業員端末４に対して稼働情報を提供するための処理を行うネットワーク上の特定の場所を示すアドレス（以下、「実行アドレス」という）を従業員端末４に送信する（ステップＳ２４）。従業員端末ＩＤは、実行アドレスを受信すると、受信した実行アドレスをメモリに記憶する（ステップＳ２５）。実行アドレスは、本発明の情報提供用アドレスの一例である。
【００２９】
この後において、従業員が従業員端末４を操作して実行アドレスにアクセスすると、従業員端末４の従業員端末ＩＤが実行アドレスに対して送信される（ステップＳ２６）。仲介サーバ５は、実行アドレスに対して送信された従業員端末ＩＤを取得し、従業員端末ＩＤの認証を行う（ステップＳ２７）。具体的には、仲介サーバ５は、取得した従業員端末ＩＤが手続管理テーブル５３に登録されておりかつ当該従業員端末ＩＤが関連付けて記憶されているトークンの有効期限が過ぎていないという認証条件を満たしているか否かを判別する。認証条件を満たしていない場合には、仲介サーバ５は、認証不成功の旨を当該従業員端末４に通知する。
【００３０】
認証条件を満たしている場合には、仲介サーバ５は、閲覧したい稼働情報を従業員に選択させるための稼働情報選択用のＷｅｂページを、従業員端末４に送信する（ステップＳ２８）。これにより、図９に示すような稼働情報選択画面４０が、従業員端末４に表示される（ステップＳ２９）。稼働情報選択画面４０は、複数種類の稼働情報をそれぞれ表す複数の選択項目４１と、各選択項目４１の横に表示されたチェックボックス４２と、ＯＫボタン４３とを含む。この実施形態では、複数の選択項目４１のうち、１または複数の選択項目４１を選択できるようになっている。
【００３１】
従業員端末４を所持している従業員は、稼働情報選択画面４０に基づいて、１または複数の稼働情報を選択した後、ＯＫボタン４３を押す。
これにより、従業員端末４から従業員が選択した稼働情報のＩＤ（稼働情報ＩＤ）が、仲介サーバ５に送信される（ステップＳ３０）。仲介サーバ５は、受信した稼働情報ＩＤならびに前述の閲覧許可制御情報に含まれているオーナーＩＤ、トークンおよび作業機械ＩＤとともに、情報要求コマンドを管理サーバ６に送信する（ステップＳ３１）。
【００３２】
管理サーバ６は、情報要求コマンドを受信すると、受信した作業機械ＩＤおよび稼働機械ＩＤに対応した稼働情報を、機械情報テーブル６４から取得する（ステップＳ３２）。そして、取得した稼働情報を仲介サーバ５に送信する（ステップＳ３３）。
仲介サーバ５は、受信した稼働情報を含む情報閲覧用のＷｅｂページを作成して、従業員端末４に送信する（ステップＳ１）。これにより、稼働情報が従業員端末４に表示される。これにより、従業員は、オーナーが許可した作業機械に関する稼働情報のうち、自己が選択した稼働情報を閲覧することができる。
【００３３】
つまり、この実施形態では、作業機械の稼働情報の閲覧権限を有しているオーナーは、その閲覧権限を有していない従業員に、認証用ＩＤおよび認証用パスワードを教えることなく、作業機械の稼働情報内の閲覧を許可できるようになる。つまり、オーナーは、セキュリティを確保しつつ、従業員に作業機械の稼働情報を閲覧させることができるようになる。また、この実施形態では、閲覧を許可するための条件を予め設定しておく必要もない。
【００３４】
以上、この発明の実施形態について説明したが、この発明はさらに他の形態で実施することもできる。例えば、前述の実施形態では、認証用ＩＤとは別に、オーナーＩＤが設定されているが、オーナーＩＤは設定されなくてもよい。この場合、例えば、オーナーＩＤの代わりに、認証用ＩＤを用いてもよい。
また、前述の実施形態では、作業機械の閲覧権限を有するメインユーザがオーナーであり、その閲覧権限を有しないサブユーザが従業員である場合について説明したが、メインユーザとサブユーザとの関係は、オーナーと従業員との関係に限られない。例えば、作業機械を保有する機械保有者がメインユーザであり、機械保有者から作業機械をレンタルしている農家がサブユーザであってもよい。
【００３５】
その他、特許請求の範囲に記載された事項の範囲で種々の設計変更を施すことが可能である。
【符号の説明】
【００３６】
１  情報閲覧システム
２  情報管理システム
３  オーナー端末
４  従業員端末
５  仲介サーバ
６  管理サーバ
７  ネットワーク
５１  制御部
５２  記憶部
５３  手続管理テーブル
６１  制御部
６２  記憶部
６３  オーナー情報テーブル
６４  機械情報テーブル
【図１】
2020061003.tif 000003
【図２】
2020061003.tif 000004
【図３】
2020061003.tif 000005
【図４Ａ】
2020061003.tif 000006
【図４Ｂ】
2020061003.tif 000007
【図５】
2020061003.tif 000008
【図６】
2020061003.tif 000009
【図７】
2020061003.tif 000010
【図８】
2020061003.tif 000011
【図９】
2020061003.tif 000012